(57)【要約】【課題】本発明は、痩身プログラムの過程で痩身プログラム終了時の身体特性値とその推移を出力可能な痩身シミュレーションシステムを提供することを目的としている。【解決手段】このため、施術による効果をイメージするための痩身シミュレーションシステムにおいて、痩身シミュレーションシステムは、患者の現在の身体特性値や痩身プログラムの内容を入力する入力部と、痩身シミュレーションの際に必要な情報を記憶する記憶部と、入力部から入力された情報及び記憶部に格納される情報から、痩身シミュレーションを行う処理部と、処理部から送信された情報を出力する出力部とを備え、処理部は、痩身シミュレーションを行う一方、痩身シミュレーションの結果として、予測される痩身プログラム終了時の身体特性値及び痩身プログラム中の身体特性値の推移を出力部へ出力制御する。【選択図】図１
2018124462.tif 000002
【特許請求の範囲】
【請求項１】
美容クリニックへの通院と施術を通して患者の痩身を行う際に、施術による効果をイメージするための痩身シミュレーションシステムにおいて、
前記痩身シミュレーションシステムは、
前記患者の現在の身体特性値や痩身プログラムの内容を入力する入力部と、
痩身シミュレーションのために必要な情報を記憶する記憶部と、
前記入力部から入力された情報及び前記記憶部に格納される情報から痩身シミュレーションを行う処理部と、
この処理部から送信された情報を出力する出力部とを備え、
前記処理部は、
痩身シミュレーションを行う一方、
痩身シミュレーションの結果として、予測される痩身プログラム終了時の身体特性値及び痩身プログラム中の身体特性値の推移を前記出力部へ出力制御することを特徴とする痩身シミュレーションシステム。
【請求項２】
前記記憶部は、実在する衣服の情報を格納する衣服情報データベースを備え、
前記処理部は、
痩身シミュレーションを行った結果として、痩身プログラム実施前には着ることができない衣服が痩身プログラム終了時には着ることができるようになる画像を前記出力部へ出力制御することを特徴とする請求項１に記載の痩身シミュレーションシステム。
【発明の詳細な説明】
【技術分野】
【０００１】
この発明は痩身シミュレーションシステムに係り、特に美容クリニックへの通院と施術を通して痩身を行う際に、施術による効果をイメージするための痩身シミュレーションシステムに関するものである。
【背景技術】
【０００２】
現在の痩身シミュレーションシステムに関する状況を記載する。
痩身（「ダイエット」とも換言できる。）の結果を予測する目的として使用する、痩身シミュレーションシステムには、患者が行う予定のプログラム内容（運動内容や食事内容）と目標の身体特性値を入力することによって、入力したプログラム内容で身体への負担なく目標の身体特性値に達することが可能か否かをシミュレーションするものがある。
【先行技術文献】
【特許文献】
【０００３】
【特許文献１】特開平１１−１２６０１５号公報
【発明の概要】
【発明が解決しようとする課題】
【０００４】
ところで、上述の痩身（ダイエット）シミュレーションシステムにおいては、入力したプログラム内容で身体への負担なく目標の身体特性値に達することが可能か否かをシミュレーションするものである。
この結果、目標の身体特性値に達するまでにどの程度の期間を要するかが不明であり、患者のモチベーション低下に繋がるという不都合があった。
また、痩身プログラムの過程で至る停滞期に、思うように身体特性値が変化しないことを理由に、痩身プログラムを諦めてしまう患者も多く、入力した痩身プログラム内容を実施するとどのような変化を伴うかを患者に予め示すことが切望されていた。
加えて、美容クリニックへの通院と施術を通して痩身を行う場合、施術の種類は運動内容や食事内容の指導に限らず、内服薬の処方、医療痩身機器による施術などの多種の施術から痩身プログラムを構成する。
このため、痩身シミュレーションシステムには、任意に構成された痩身プログラムに応じたシミュレーション結果を表示することが求められていた。
【０００５】
この発明は、痩身プログラムに対する患者のモチベーションを向上させるために、痩身プログラムに応じた効果を確認することが可能で、痩身プログラムの過程で痩身プログラム終了時に予測される身体特性値に向かってどのように身体特性値が推移するかを出力することが可能な痩身シミュレーションシステムを提供することを目的としている。
【課題を解決するための手段】
【０００６】
そこで、この発明は、上述不都合を除去するために、
美容クリニックへの通院と施術を通して患者の痩身を行う際に、施術による効果をイメージするための痩身シミュレーションシステムにおいて、
前記痩身シミュレーションシステムは、
前記患者の現在の身体特性値や痩身プログラムの内容を入力する入力部と、
痩身シミュレーションのために必要な情報を記憶する記憶部と、
前記入力部から入力された情報及び前記記憶部に格納される情報から痩身シミュレーションを行う処理部と、
この処理部から送信された情報を出力する出力部とを備え、
前記処理部は、痩身シミュレーションを行う一方、
痩身シミュレーションの結果として、予測される痩身プログラム終了時の身体特性値及び痩身プログラム中の身体特性値の推移を前記出力部へ出力制御することを特徴とする。
【発明の効果】
【０００７】
この発明によれば、痩身シミュレーションの結果として、予測される痩身プログラム終了時の身体特性値及び痩身プログラム中の身体特性値の推移が出力されることにより、患者は痩身プログラムに応じた効果と痩身プログラムの過程で痩身プログラム終了時に予測される身体特性値に向かってどのように身体特性値が推移するかを確認することが可能となる。
このため、痩身プログラムに対する患者のモチベーションをより向上させることが可能である。
【図面の簡単な説明】
【０００８】
【図１】図１は痩身シミュレーションシステムを説明するためのブロック図である。（実施例１）
【図２】図２は痩身シミュレーションシステムの痩身シミュレーションの流れを説明するための動作用フローチャートである。（実施例１）
【図３】図３は患者の現在の身体特性値を入力する画面の１例である。（実施例１）
【図４】図４は痩身プログラムを構成する画面の１例である。（実施例１）
【図５】図５は痩身シミュレーション結果を表示する画面の１例である。（実施例１）
【図６】図６は痩身シミュレーションシステムを説明するためのブロック図である。（実施例２）
【図７】図７は衣服情報データベースに格納されるデータについて説明するための図である。（実施例２）
【図８】図８は痩身シミュレーション結果を表示する画面の１例である。（実施例２）
【発明を実施するための形態】
【０００９】
以下、図面に基づいてこの発明の実施例を詳細に説明する。
【実施例１】
【００１０】
図１〜図５はこの発明の実施例１を示すものである。
図１において、１は痩身シミュレーションシステムである。
痩身シミュレーションシステム１は、少なくとも、患者の現在の身体特性値や施術内容を選択し痩身プログラムを入力する入力部２と、痩身シミュレーションの際に必要な情報を記憶する記憶部３と、入力部２の取得した情報を受信、痩身シミュレーションの実行、入力部２から得た情報や痩身シミュレーションの結果を出力部５に送信する処理部４と、処理部４から送信された情報を出力する出力部５と、上述構成部を連携させるバス６とによって構成される。
【００１１】
前記入力部２は、例えば、キーボード、マウス、タッチパネルからなり、患者の現在の身体特性値（図３参照。）や痩身プログラム（図４参照。）を入力する。
或いは、前記入力部２は、患者の身体特性値を計測することが可能な検査器とし、患者の身体特性値の入力を前記検査器から入力する構成とすることも可能である。
【００１２】
前記記憶部３は、例えば、汎用のパーソナルコンピュータ（ＰＣ）内に組み込まれる補助記憶装置や外付けの補助記憶装置からなり、内部に患者情報データベース（ＤＢ）７と施術情報データベース（ＤＢ）８を備える。
前記患者情報データベース７には、現在及び過去の患者の情報として、現在及び過去の患者のＩＤ、患者の現在（或いは、痩身プログラム開始前）の身体特性値、過去の患者が行った痩身プログラムの内容と痩身プログラム終了時の患者の身体特性値及び痩身プログラム中の身体特性値の推移などが格納される。
また、前記施術情報データベース８には、美容クリニックで実施可能な施術と各施術の実施期間に応じた期待値などが格納される。
【００１３】
前記処理部４は、例えば、汎用のＰＣ内に組み込まれる処理機能を有する集積回路（ＣＰＵ）からなり、内部に痩身シミュレーション手段９を備える。
この痩身シミュレーション手段９は、入力された患者の現在の身体特性値及び痩身プログラムを取得し、患者情報データベース７や施術情報データベース８に格納される情報から、痩身シミュレーションとして、痩身プログラム終了時に予測される身体特性値及び、痩身プログラム中の各回の施術で予測される身体特性値を算出する。
また、前記痩身シミュレーション手段９は、痩身シミュレーションの結果として、予測される痩身プログラム終了時の身体特性値及び痩身プログラム中の身体特性値の推移を前記出力部５へ出力制御する。
【００１４】
前記出力部５は、例えば、液晶ディスプレイやプリンタからなり、前記処理部４から送信される情報を出力する。
【００１５】
次に、図２の痩身シミュレーションシステム１の動作用フローチャートに沿って作用を説明する。
【００１６】
痩身シミュレーションシステム１が起動され、制御用プログラムが開始（１０１）されると、患者の現在の身体特性値入力処理（１０２）に移行する。
この身体特性値入力処理（１０２）では、出力部５は処理部４からの信号を受信し、患者の現在の身体特性値を入力する画面を表示する（図３参照。）。
患者又は美容クリニック従業員は、この画面に少なくとも患者の性別、年齢、身長、体重などの情報を入力部２によって入力する。
或いは、患者ＩＤを入力し、「更新」ボタンを選択することによって、出力部５は前回入力した患者の現在の身体特性値を表示する。
つまり、前回入力した患者の現在の身体特性値は、前記処理部４が、記憶部３内にある患者情報データベース７から、前記患者ＩＤの患者の現在の身体特性値を取得し、出力部５に取得した患者の現在の身体特性値を送信することによって、表示される。
その後、患者の現在の身体特性値の入力が完了し、「次へ」が選択されると、痩身プログラム構成処理（１０３）に移行する。
この痩身プログラム構成処理（１０３）では、図４に示す如く、出力部５は、処理部４から信号を受信し、施術一覧と、各施術の期間や頻度を選択し痩身プログラムを構成するための表をその下部に表示する。
患者又は美容クリニック従業員は、患者の通院可能な回数や期間及び予算などを考慮しながら希望の痩身プログラムを構成する。
その後、痩身プログラムの構成が完了し「次へ」が選択されると、痩身シミュレーション実行処理（１０４）に移行する。
この痩身シミュレーション実行処理（１０４）では、痩身シミュレーション実行処理を行う。
詳述すれば、処理部４内の前記痩身シミュレーション手段９は、入力された患者の現在の身体特性値と痩身プログラムと、記憶部３から参照した痩身シミュレーションを行うために必要な情報から、痩身プログラムの終了時に予測される身体特性値及び、痩身プログラム中の各回の施術で予測される身体特性値を算出する。
その後、シミュレーション結果表示処理（１０５）では、出力部５は、処理部４からの出力命令を受け、予測される痩身プログラム終了時の身体特性値及び痩身プログラム中の身体特性値の推移を痩身シミュレーション結果として表示する（図５参照。）。
その後、「終了」ボタンが選択されたか否かの判断（１０６）に移行する。
判断（１０６）では、処理部４は入力部２からの信号を待機し、「終了」ボタンが選択されたか或いは「戻る」ボタンが選択されたかの判断を行う。
判断（１０６）がＹＥＳ、つまり「終了」ボタンが選択された場合には、信号を受信した処理部４は、後述するこの痩身シミュレーションシステム１の終了（１０７）に移行する。
判断（１０６）がＮＯ、つまり「戻る」ボタンが選択された場合には、痩身シミュレーションを再度行うため、痩身プログラム構成処理（１０３）に戻る。
痩身シミュレーションシステム１の終了（１０７）では、痩身シミュレーションシステム１の終了処理として、処理部３は出力部５への出力命令を終了する。
【００１７】
これにより、美容クリニックへの通院と施術を通して痩身を行う際に、施術による効果をイメージするための痩身シミュレーションシステム１において、前記痩身シミュレーションシステム１は、患者の現在の身体特性値や痩身プログラムの内容を入力する入力部２と、痩身シミュレーションの際に必要な情報を記憶する記憶部３と、前記入力部２から入力された情報及び前記記憶部３に格納される情報から、痩身シミュレーションを行う処理部４と、前記処理部４から送信された情報を出力する出力部５とを備え、前記処理部４は、痩身シミュレーションを行う一方、痩身シミュレーションの結果として、予測される痩身プログラム終了時の身体特性値及び痩身プログラム中の身体特性値の推移を前記出力部５へ出力制御する。
従って、痩身シミュレーションの結果として、予測される痩身プログラム終了時の身体特性値及び痩身プログラム中の身体特性値の推移が出力されることにより、患者は痩身プログラムに応じた効果と痩身プログラムの過程で痩身プログラム終了時に予測される身体特性値に向かってどのように身体特性値が推移するかを確認することが可能となる。
このため、痩身プログラムに対する患者のモチベーションをより向上させることが可能である。
また、前記痩身シミュレーションシステム１の構成が比較的簡略であることにより、製作コストを低廉に維持し得て、経済的に有利である。
【実施例２】
【００１８】
図６〜図８はこの発明の実施例２を示すものである。
この第２実施例においては、上述第１実施例のものと同一機能を果たす箇所には、同一符号を付して説明する。
【００１９】
この実施例２の特徴とするところは、痩身シミュレーションシステム１１の記憶部１２は衣服情報データベース１３を備え、処理部４は、痩身シミュレーションの結果として、算出された痩身プログラム終了時に予測される身体特性値及び痩身プログラム中の身体特性値の推移をもとに痩身プログラムの実施前後で、着ることができなかった衣服が着られるようになる画像を生成し、出力部５へ出力制御する点にある。
また、処理部４は、痩身シミュレーションの結果表示後、再度痩身プログラムの構成と痩身シミュレーションを行う際、初回の痩身シミュレーションの際に適用した衣服を適用し、痩身シミュレーションの実行と結果を出力部５へ出力制御する点にある。
【００２０】
図６において、前記痩身シミュレーションシステム１１は、少なくとも、患者の現在の身体特性値や施術内容を入力する入力部２と、痩身シミュレーションの際に必要な情報を記憶する記憶部１２と、入力部２の取得した情報を受信し、痩身シミュレーションの実行、入力部２から得た情報や痩身シミュレーションの結果を出力部５に送信する処理部４と、処理部４から送信された情報を出力する出力部５と、上述構成部を連携させるバス６とによって構成される。
【００２１】
前記入力部２は、例えば、キーボード、マウス、タッチパネルからなり、患者の現在の身体特性値（図３参照。）や痩身プログラム（図４参照。）を入力する。
【００２２】
前記記憶部１２は、例えば、汎用のパーソナルコンピュータ（ＰＣ）内に組み込まれる補助記憶装置や外付けの補助記憶装置からなり、内部に患者情報データベース７と施術情報データベース８及び衣服情報データベース（ＤＢ）１３とを備える。
前記患者情報データベース７には、現在及び過去の患者の情報として、現在及び過去の患者のＩＤ、患者の現在（或いは、痩身プログラム開始前）の身体特性値、過去の患者が行った痩身プログラムの内容とプログラム終了時の患者の身体特性値及び痩身プログラム中の身体特性値の推移などが格納される。
また、前記施術情報データベース８には、美容クリニックで実施可能な施術と各施術の実施期間に応じた期待値などが格納される。
前記衣服情報データベース１３は、図７に示すが如く、衣服のＩＤ、それぞれの衣服を着ることができる各身体特性値の最大値（ＭＶ）及びその衣服を最適に着ることができる各身体特性値の適正値（ＡＶ）及び、その衣服を着ることができないときの画像及びその衣服を着たときの画像などが格納される。
【００２３】
前記処理部４は、例えば、汎用のＰＣ内に組み込まれる処理機能を有する集積回路（ＣＰＵ）からなり、痩身シミュレーション手段９を有する。
この痩身シミュレーション手段９は、痩身シミュレーション実行処理を行う。
詳述すれば、前記痩身シミュレーション手段９は、入力された患者の現在の身体特性値（ＰＶ）及び痩身プログラムの内容を取得し、患者情報データベース７や施術情報データベース８に格納される情報から、痩身シミュレーションとして、痩身プログラム終了時に予測される身体特性値（ＥｆＶ）及び、各回の施術で予測される身体特性値（ＥｎＶ）を算出する。
更に、衣服情報データベース１３を参照し、「患者の現在の身体特性値（ＰＶ）が衣服情報データベース１３に登録される衣服を着ることができる最大値（ＭＶ）よりも大きくなり（ＰＶ＞ＭＶ）」、且つ、「その衣服を最適に着ることができる適正値（ＡＶ）が痩身プログラムの終了時に予測される身体特性値（ＥｆＶ）と同程度となる（ＡＶ≒ＥｆＶ）」条件を満たす衣服ｘの抽出を行う。
更にまた、算出した痩身プログラム中の各回の施術で予測される身体特性値（ＥｎＶ）を参照し、「前記衣服ｘを着ることができる最大値（ＭＶ）と身体特性値（ＥｎＶ)が同程度又はそれよりも下回る」条件を満たす時期（Ｍ回目）とそのときの身体特性値（ＥｍＶ)を取得する。
その後、前記痩身シミュレーション手段９は、痩身シミュレーションの結果を表示するため、前記衣服ｘを着られないときの画像、及び、痩身プログラム終了時には衣服ｘを最適に着ることができる画像として、身体特性値が適正値（ＡＶ≒ＥｆＶ）のときに衣服ｘを着たときの画像、及び、痩身プログラムの過程で衣服ｘがなんとか着られるようになる画像として、Ｍ回目のときの身体特性値（ＥｍＶ）で衣服ｘを着たときの画像を衣服情報データベース１３から取得、生成し、前記出力部５へ出力制御する。
また、この痩身シミュレーション手段９は、痩身シミュレーションの実行処理として、２度目以降の痩身シミュレーション実行処理では、１度目の痩身シミュレーション実行の際に適用した衣服ｘを抽出し痩身シミュレーションの実行処理を行う。
【００２４】
前記出力部５は、例えば、液晶ディスプレイ、プリンタからなり、前記処理部４から送信される情報を出力する。
【００２５】
次に、図２の痩身シミュレーションシステム１１の動作用フローチャートに沿って作用を説明する。
【００２６】
痩身シミュレーションシステム１１が起動され、制御用プログラムが開始（１０１）されると、患者の現在の身体特性値入力処理（１０２）に移行する。
この身体特性入力処理（１０２）では、出力部５は、処理部４から信号を受信し、患者の現在の身体特性値を入力する画面を表示する（図３参照。）。
患者又は、美容クリニック従業員は、この画面に少なくとも患者の性別、年齢、身長、体重などの情報を入力部２によって入力する。
或いは、患者ＩＤを入力し、「更新」ボタンを選択することによって、出力部５は前回入力した患者の現在の身体特性値を表示する。
つまり、前回入力した患者の現在の身体特性値は、前記処理部４が、記憶部１２内にある患者情報データベース７から、前記患者ＩＤの患者の現在の身体特性値を取得し、出力部５に取得した患者の現在の身体特性値を送信することによって、表示される。
その後、患者の現在の身体特性値の入力が完了し、「次へ」が選択されると、痩身プログラム構成処理（１０３）に移行する。
この痩身プログラム構成処理（１０３）では、図４に示す如く、出力部５は、処理部４から信号を受信し、施術一覧と、各施術の期間や頻度を選択し痩身プログラムを構成するための表をその下部に表示する。
患者又は美容クリニック従業員は、患者の通院可能な回数や期間及び予算などを考慮しながら希望の痩身プログラムを構成する。
その後、痩身プログラムの構成が完了し「次へ」が選択されると、痩身シミュレーション実行処理（１０４）に移行する。
この痩身シミュレーション実行処理（１０４）では、痩身シミュレーション実行処理を行う。
詳述すれば、処理部４内の前記痩身シミュレーション手段９は、入力された患者の現在の身体特性値（ＰＶ）と痩身プログラムと、記憶部１２から参照した痩身シミュレーションを行うために必要な情報から、予測される痩身プログラムの終了時の身体特性値（ＥｆＶ）及び、痩身プログラム中の各回の施術で予測される身体特性値（ＥｎＶ）を算出し、衣服情報データベース１３を参照し、痩身シミュレーションに適用する衣服ｘを抽出し、結果表示に必要な画像の生成を行う。
その後、シミュレーション結果表示処理（１０５）では、出力部５は、処理部４からの出力命令を受け、痩身プログラム開始前には着ることができなかった衣服ｘが、痩身プログラム中のＭ回目の施術で、なんとか着られるようになり、痩身プログラム終了時には最適に着ることができるようになる痩身シミュレーション結果を表示する（図８参照。）。
その後、「終了」ボタンが選択されたか否かの判断（１０６）に移行する。
判断（１０６）では、処理部４は入力部２からの信号を待機し、「終了」ボタンが選択されたか或いは「戻る」ボタンが選択されたかの判断を行う。
判断（１０６）がＹＥＳ、つまり「終了」ボタンが選択された場合には、信号を受信した処理部４は、後述するこの痩身シミュレーションシステム１１の終了（１０７）に移行する。
判断（１０６）がＮＯ、つまり「戻る」ボタンが選択された場合には、痩身シミュレーションを再度行うため、２度目以降の痩身プログラム構成処理（１０３）に戻る。
２度目以降の痩身プログラム構成処理（１０３）では、１度目の痩身プログラム構成処理（１０３）と同様に出力部５は、処理部４から信号を受信し、施術一覧と、各施術の期間や頻度を選択し痩身プログラムを構成するための表をその下部に表示し、痩身プログラムの再構成が完了し「次へ」が選択されると、２度目以降の痩身シミュレーション実行処理（１０４）に移行する。
２度目以降の痩身シミュレーション実行処理（１０４）では、痩身シミュレーション実行処理を行う。
詳述すれば、処理部４内の前記痩身シミュレーション手段９は、入力された患者の現在の身体特性値（ＰＶ）と痩身プログラムと、記憶部１２から参照した痩身シミュレーションを行うために必要な情報から、予測される痩身プログラムの終了時の身体特性値（ＥｆＶ）及び、痩身プログラム中の各回の施術で予測される身体特性値（ＥｎＶ）を算出し、１度目の痩身シミュレーションの際に適用した衣服ｘを抽出して、結果表示に必要な画像の生成を行い、シミュレーション結果表示処理（１０５）に移行する。
シミュレーション結果表示処理（１０５）では、出力部５は、処理部４からの出力命令を受け痩身シミュレーションの結果の表示を行う。
例えば、痩身プログラムの再構成の際に、１回目に構成した痩身プログラムよりも各施術の頻度を高くした場合には、出力部５は、１回目の痩身プログラムを実行した場合よりも早い段階で衣服ｘをなんとか着られるようになり、痩身プログラム終了時には、衣服ｘ着ると余剰のある状態になるシミュレーション結果を表示する。
或いは、１回目の痩身プログラムを構成した際には取り入れていたいくつかの施術を、再構成する際には省き、その結果、痩身プログラムの終了時に予測される身体特性値（ＥｆＶ）が衣服ｘを着ることができる最大値（ＭＶ）を下回らない場合（ＥｆＶ＞ＭＶ）には、出力部５は、痩身シミュレーションの結果として、痩身プログラム終了時でも衣服ｘを着ることができないシミュレーション結果を表示する。
その後、「終了」ボタンが選択されたか否かの判断（１０６）に移行する。
判断（１０６）がＹＥＳ、つまり「終了」ボタンが選択された場合には、信号を受信した処理部４は、後述するこの痩身シミュレーションシステム１１の終了（１０７）に移行する。
判断（１０６）がＮＯ、つまり「戻る」ボタンが選択された場合には、痩身シミュレーションを再度行うため、３度目の痩身プログラム構成処理（１０３）に戻る。
痩身シミュレーションシステム１１の終了（１０７）では、痩身シミュレーションシステム１１の終了処理として、処理部３は出力部５への出力命令を終了する。
【００２７】
これにより、美容クリニックへの通院と施術を通して痩身を行う際に、施術による効果をイメージするための痩身シミュレーションシステム１１において、前記痩身シミュレーションシステム１１は、患者の現在の身体特性値や痩身プログラムの内容を入力する入力部２と、痩身シミュレーションの際に必要な情報を記憶する記憶部１２と、前記入力部２から入力された情報及び前記記憶部３に格納される情報から、痩身シミュレーションを行う処理部４と、前記処理部４から送信された情報を出力する出力部５とを備え、前記記憶部１２は、実在する衣服の情報を格納する衣服情報データベース１３を備え、前記処理部４は、痩身シミュレーションを行った結果として、痩身プログラム実施前には着ることができない衣服が痩身プログラム終了時には着ることができるようになる画像を前記出力部５へ出力制御する。
従って、患者は痩身プログラムに応じた効果を確認することが可能となり、このため、痩身プログラムに対する患者のモチベーションをより向上させることが可能となる。
また、痩身シミュレーションの結果として、痩身プログラム開始前には着ることができなかった衣服ｘが、痩身プログラム中のＭ回目の施術で、なんとか着られるようになり、痩身プログラム終了時には最適に着ることができるようになる痩身シミュレーション結果が出力されることにより、痩身プログラムの過程で痩身プログラム終了時に予測される身体特性値に向かってどのように身体特性値が推移するかを確認することが可能となり、このため、痩身プログラムに対する患者のモチベーションをより向上させることが可能となる。
加えて、痩身シミュレーションの結果を画像によって出力することにより、表やグラフで出力するよりも、痩身プログラムの効果を理解しやすく表示することが可能となる。
更にまた、実在する衣服を用いて、シミュレーションを行うことにより、より具体的な目標を持って痩身プログラムに取り組むことが可能となるため、一層痩身プログラムに対する患者のモチベーションを向上させることが可能となる。
更に、再度痩身プログラムの構成と痩身シミュレーションを行う際に、１度目の痩身シミュレーションの際に適用した衣服ｘでの痩身シミュレーション結果を表示することにより、構成された痩身プログラムに応じた効果の違いをより顕著に理解することが可能となる。
【００２８】
なお、この発明は上述実施例に限定されるものではなく、種々の応用改変が可能である。
例えば、この発明の実施例１及び実施例２においては、現在の患者の身体特性値と痩身プログラムから痩身シミュレーションを行う構成としたが、痩身プログラムの実施中にこの痩身シミュレーションシステムを使用し、現在の患者の身体特性値と痩身プログラム及び前の施術の際に行った痩身シミュレーションの結果から痩身シミュレーションを行う構成とすることも可能である。
さすれば、前の施術の際に行った痩身シミュレーションの結果が痩身シミュレーション処理に反映されることにより、シミュレーション精度を向上させることが可能となる。
【００２９】
また、この発明の実施例１及び実施例２においては、痩身シミュレーションシステム１はオフラインでの構成としたが、インターネットなどを使用したオンラインでの構成とすることも可能である。
詳述すれば、記憶部３をデータベースサーバーとし、処理部４はネットワークを通じて記憶部３に接続する構成とすることが可能である。
さすれば、複数の端末で記憶部３内に格納される情報を共有し、複数の端末で実行された痩身シミュレーションの情報が蓄積されることで、より精度の高いシミュレーションを行うことが可能となる。
【００３０】
更に、この発明の実施例２においては、痩身シミュレーションの結果を画像で表示する構成としたが、痩身プログラムの効果を動画で表示する構成とすることも可能である。
或いは、この発明の実施例２においては、痩身シミュレーションの結果を画像のみで表示する構成としたが、痩身シミュレーションの結果として、予測される痩身プログラム終了時の身体特性値及び痩身プログラム中の身体特性値の推移と併せて画像を表示することも可能である。
【符号の説明】
【００３１】
１  痩身シミュレーションシステム
２  入力部  
３  記憶部
４  処理部
５  出力部
６  バス
７  患者情報データベース（ＤＢ）
８  施術情報データベース（ＤＢ）
９  痩身シミュレーション手段
１３  衣服情報データベース（ＤＢ）
【図１】
2018124462.tif 000003
【図２】
2018124462.tif 000004
【図３】
2018124462.tif 000005
【図４】
2018124462.tif 000006
【図５】
2018124462.tif 000007
【図６】
2018124462.tif 000008
【図７】
2018124462.tif 000009
【図８】
2018124462.tif 000010